(57)【要約】【課題】筐体の内部に水が浸入した場合に、この水の浸入の原因を適切に判定できる防水型電子機器を提供すること。【解決手段】ケース部材２２及びケース部材２２の外面に着脱可能に設けられたカバー部材を有し、カバー部材がケース部材２２に装着された状態において所定の水圧までの防水機能を有する筐体２と、筐体２の内部に配置された回路基板と、筐体２の外面に設けられた凹部２６と、凹部２６内に設けられた水没判定部材９０と、を備え、水没判定部材９０は、凹部２６の少なくとも一部を覆う防水シート９１と、凹部２６の内部と防水シート９１との間に形成される防水空間１００に配置される第１水没確認シート９２と、を備え、防水シート９１は、所定の水圧までの防水機能を有する。【選択図】図６
2009290482.tif 000002
【特許請求の範囲】
【請求項１】
ケース部材及び該ケース部材の外面に着脱可能に設けられたカバー部材を有し、該カバー部材が前記ケース部材に装着された状態において所定の水圧までの防水機能を有する筐体と、
前記筐体の内部に配置された回路基板と、
前記筐体の外面に設けられた凹部と、
前記凹部内に設けられた水没判定部材と、を備え、
前記水没判定部材は、前記凹部の少なくとも一部を覆う防水シートと、該凹部の内部と該防水シートとの間に形成される防水空間に配置される第１水没確認シートと、を備え、
前記防水シートは、前記所定の水圧までの防水機能を有する防水型電子機器。
【請求項２】
前記防水シートと前記第１水没確認シートとは、離間して配置されている請求項１に記載の防水型電子機器。
【請求項３】
前記防水シートの外面側には、該防水シートを覆う保護部材が設けられている請求項１又は請求項２に記載の防水型電子機器。
【請求項４】
前記保護部材は、複数の貫通孔を有する金属製板状体である請求項３に記載の防水型電子機器。
【請求項５】
前記ケース部材の外面における前記カバー部材が装着される領域には、第２水没確認シートが配置されている請求項１乃至請求項４のいずれかに記載の防水型電子機器。
【発明の詳細な説明】
【技術分野】
【０００１】
本発明は、防水型電子機器に関する。詳しくは、所定の水圧までの防水機能を有する防水型電子機器に関する。
【背景技術】
【０００２】
近年、所定の水圧に対する防水性能を備えた携帯電話機等の防水型電子機器が提案されている（例えば、特許文献１参照）。
【０００３】
このような防水型電子機器においては、防水型電子機器が故障した場合に、その故障の原因が筐体の内部に水が浸入したものであるかどうか判定するために、筐体の内部に水没確認シートを配置している。
水没確認シートは、例えば、吸水性を有するシートに、水溶性のインクで模様等が付されて構成されている。この水没確認シートに水が付着すると、水没確認シートに付された模様等が滲む。これにより、水の浸入を判定できる。
【特許文献１】特開２０００−２９９７２５号公報
【０００４】
ところで、防水型電子機器では、筐体を構成するキャップや電池蓋等のカバー部材が筐体本体としてのケース部材に適切に装着された状態において、所定の水圧までの防水機能を発揮するよう構成されている。
そのため、これらカバー部材が適切に装着されていない状態では、筐体の防水機能は十分に発揮されず、このような状態で防水型電子機器が水没した場合には、所定の水圧以下であっても筐体の内部に水が浸入してしまう。
【発明の開示】
【発明が解決しようとする課題】
【０００５】
しかしながら、従来の方法では、筐体の内部に水が浸入した場合、この水の浸入の原因がカバー部材を適切に装着していなかったことや、筐体に欠陥があったことに起因するのか、或いは、所定の水圧以上の圧力がかかる深さまで防水型電子機器を沈めてしまったのかを適切に判定できなかった。
【０００６】
従って、本発明は、筐体の内部に水が浸入した場合に、この水の浸入の原因を適切に判定できる防水型電子機器を提供することを目的とする。
【課題を解決するための手段】
【０００７】
本発明は、ケース部材及び該ケース部材の外面に着脱可能に設けられたカバー部材を有し、該カバー部材が前記ケース部材に装着された状態において所定の水圧までの防水機能を有する筐体と、前記筐体の内部に配置された回路基板と、前記筐体の外面に設けられた凹部と、前記凹部内に設けられた水没判定部材と、を備え、前記水没判定部材は、前記凹部の少なくとも一部を覆う防水シートと、該凹部の内部と該防水シートとの間に形成される防水空間に配置される第１水没確認シートと、を備え、前記防水シートは、前記所定の水圧までの防水機能を有する防水型電子機器に関する。
【０００８】
また、前記防水シートと前記第１水没確認シートとは、離間して配置されていることが好ましい。
【０００９】
また、前記防水シートの外面側には、該防水シートを覆う保護部材が設けられていることが好ましい。
【００１０】
また、前記保護部材は、複数の貫通孔を有する金属製板状体であることが好ましい。
【００１１】
また、前記ケース部材の外面における前記カバー部材が装着される領域には、第２水没確認シートが配置されていることが好ましい。
【発明の効果】
【００１２】
本発明の防水型電子機器によれば、筐体の内部に水が浸入した場合に、この水の浸入の原因を適切に判定できる。
【発明を実施するための最良の形態】
【００１３】
以下、本発明を実施するための好ましい一実施形態について、図面を参照しながら説明する。まず、本発明の防水型電子機器の一実施形態である携帯電話機１の基本構造について、図１から図４を参照しながら説明する。
【００１４】
図１は、携帯電話機１について、操作部側筐体２と表示部側筐体３とを開いた状態で示す斜視図である。図２は、図１に示す携帯電話機１を折り畳んだ状態で、表示部側筐体３をリアケース３０ｂ側から見た斜視図である。図３は、操作部側筐体２の分解斜視図である。図４は、図１に示す携帯電話機１を折り畳んだ状態で、操作部側筐体２をリアケース２２側から見た図である。
【００１５】
携帯電話機１は、折り畳み型の携帯電話機１であり、略直方体形状の操作部側筐体２と、略直方体形状の表示部側筐体３と、操作部側筐体２と表示部側筐体３とを連結する連結部４と、を備える。この携帯電話機１は、所定の水圧までの防水機能を有している。
【００１６】
操作部側筐体２の上端部と表示部側筐体３の下端部とは、連結部４を介して開閉可能に連結されている。つまり、連結部４は、表示部側筐体３と操作部側筐体２とを開閉軸Ｐを中心に開閉可能に連結している。
携帯電話機１は、連結部４を介して連結された操作部側筐体２と表示部側筐体３とを相対的に回転（回動）することにより、操作部側筐体２と表示部側筐体３とを互いに開いた状態（開放状態）にしたり、操作部側筐体２と表示部側筐体３とを折り畳んだ状態（折畳み状態）にしたりできる。
【００１７】
図１及び図２に示すように、表示部側筐体３は、その外面が、フロントケース３０ａ、フロントパネル３３及びリアケース３０ｂを主体として構成される。
フロントケース３０ａとリアケース３０ｂとは、互いの凹状の内側面が向き合うように配置され、互いの外周縁が重なり合うようにして結合される。これらフロントケース３０ａとリアケース３０ｂとは、弾性を有する環状の防水部材（図示せず）を介して結合される。
【００１８】
表示部側筐体３の前面３ａは、フロントケース３０ａ及びフロントパネル３３を主体として構成されている。前面３ａは、携帯電話機１を折り畳んだ状態で操作部側筐体２と向かい合う面である。表示部側筐体３の背面３ｂは、リアケース３０ｂを主体として構成されている。背面３ｂは、前面３ａとは反対側の面である。
【００１９】
表示部側筐体３内には、各種情報を表示させるメイン液晶モジュール３４が配置されており、メイン液晶モジュール３４は、その一方の面に設けられたメイン表示部３４ａが、透明部分を主体とするフロントパネル３３を介して、フロントケース３０ａに形成された開口部から表示部側筐体３の前面３ａに露出するように配置されている。
【００２０】
また、フロントケース３０ａには、通話の相手側における音声を出力する音声出力部３１が形成されている。音声出力部３１は、表示部側筐体３の長手方向における連結部４とは反対の端部側に配置される。つまり、音声出力部３１は、携帯電話機１の開状態における表示部側筐体３側の端部近傍に配置される。
【００２１】
図２に示すように、表示部側筐体３のリアケース３０ｂ側には、各種情報を表示させるサブ液晶モジュール３６が配置されており、サブ液晶モジュール３６は、その一方の面に設けられたサブ表示部３６ａが、リアケース３０ｂの透明部分を介して表示部側筐体３の背面３ｂに露出するように配置されている。
【００２２】
メイン液晶モジュール３４及びサブ液晶モジュール３６は、それぞれ、メイン表示部３４ａ及びサブ表示部３６ａを構成する液晶パネル、この液晶パネルを駆動する駆動回路、この液晶パネルの背面側から光を照射するバックライト等の光源部等から構成される。
【００２３】
次に、操作部側筐体２について説明する。
図１、図３及び図４に示すように、操作部側筐体２は、その外面がフロントケース２１と、ケース部材としてのリアケース２２と、カバー部材としての電池蓋２４と、保護部材２５と、を主体として構成されている。フロントケース２１は、操作部側筐体２の前面２ａ側を構成する。操作部側筐体２の前面２ａは、携帯電話機１を折り畳んだ状態で表示部側筐体３と向かい合う面である。リアケース２２、電池蓋２４及び保護部材２５は、前面２ａと反対側の面である背面２ｂ側を構成する。操作部側筐体２の背面２ｂ側の構成については後述する。
【００２４】
操作部側筐体２の側面２ｃには、例えば、外部機器（例えば、ホスト装置）とデータの送受信を行うためのインターフェース、ヘッドホン／マイク端子、着脱可能な外部メモリのインターフェースが設けられている。
【００２５】
図１に示すように、フロントケース２１は、操作キー群１１が前面２ａに露出するように構成されている。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、から構成されている。
【００２６】
操作キー群１１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２７】
操作部側筐体２の前面２ａには、携帯電話機１の使用者が通話時に発した音声が入力される音声入力部１２が形成されている。音声入力部１２は、操作部側筐体２の長手方向における連結部４とは反対側の端部近傍に配置される。つまり、音声入力部１２は、携帯電話機１の開状態において長手方向の一方の端部側に配置される。
【００２８】
図３に示すように、フロントケース２１とリアケース２２とは、互いの凹状の内側面が向き合うように配置され、互いの外周縁が重なり合うようにして結合される。これらフロントケース２１とリアケース２２とは、弾性を有する環状の防水部材（図示せず）を介して結合される。
また、フロントケース２１とリアケース２２との間には、フロントケース２１側から順に、キーシート５０と、キー基板６０と、縦長のシールドケース７０と、回路基板８０と、バッテリＱと、が、積層配置されて内蔵される。
【００２９】
回路基板８０の上面８０ａ側（操作部側筐体２の前面２ａ側）及び下面８０ｂ側（操作部側筐体２の背面２ｂ側）には複数の電子部品８１が実装されている。複数の電子部品８１は、所定の組み合わせにより回路ブロック（図示せず）等を形成する。
回路基板８０の所定箇所には、基準電位パターン層（図示せず）が設けられている。基準電位パターン層は、例えば、回路基板８０の下面８０ｂにおける側縁部近傍に設けられている。
【００３０】
シールドケース７０は、回路基板８０の上面８０ａ側に実装された複数の電子部品８１を覆う部材である。シールドケース７０は、導電性の部材からなり、回路基板８０における回路ブロックを遮蔽するために設けられる。また、シールドケース７０は、操作部側筐体２の強度を向上させる役目も果たす。
シールドケース７０は、強度を確保する観点から金属から形成されていることが好ましいが、インサート成形により部分的に合成樹脂から形成することもできる。
【００３１】
キー基板６０は、シールドケース７０の上面７０ａ側に積層配置され、複数のキースイッチ６１〜６３を有する。キー基板６０は、複数の絶縁層（絶縁フィルム）の間に配線を挟み込んで形成されている。キー基板６０は、キーシート５０側に、キートップとしての機能設定操作キー１３、入力操作キー１４及び決定操作キー１５にそれぞれ対応して、複数のキースイッチ６１、６２、６３を備える。キースイッチ６１、６２、６３は、椀状に湾曲して立体的に形成された金属板のメタルドームを有する。メタルドームは、その椀状形状の頂点が押圧されると、キー基板６０の表面に印刷された電気回路（図示せず）に形成されるスイッチ端子に接触して、電気的に導通するように構成される。
【００３２】
キーシート５０は、キー基板６０に積層配置され、複数のキースイッチ６１、６２、６３を押圧可能な押し子と、操作面を有するキートップとが、弾性を有するシリコン等で構成された基体シート５１に設けられて構成されている。
キーシート５０における操作キー群１１を構成する機能設定操作キー１３、入力操作キー１４及び決定操作キー１５は、キー基板６０におけるキースイッチ６１、６２、６３と対向する位置に配置されると共に、フロントケース２１に形成されるキー孔１３ａ、１４ａ、１５ａから露出するように配置される。
【００３３】
フロントケース２１における操作部側筐体２の前面２ａ側には、キー孔１３ａ、１４ａ、１５ａが形成されている。キー孔１３ａ、１４ａ、１５ａのそれぞれからは、機能設定操作キー１３の押圧面、入力操作キー１４の押圧面、及び決定操作キー１５の押圧面が露出する。この露出した機能設定操作キー１３の押圧面、入力操作キー１４の押圧面及び決定操作キー１５の押圧面を押し下げるように押圧することで、対応するキースイッチ６１、６２、６３それぞれに設けられるメタルドームにおける椀状形状の頂点は、押圧されて、スイッチ端子に接触して電気的に導通する。
【００３４】
フロントケース２１のキーシート５０側におけるキー孔１３ａ、１４ａ、１５ａの周縁には、それぞれ環状の防水部材（図示せず）が設けられており、これらキー孔１３ａ、１４ａ、１５ａから操作部側筐体２の内部に水が浸入しないように構成されている。
【００３５】
次に、操作部側筐体２の背面２ｂ側の構成について、図４〜図６を参照しながら説明する。
図５は、リアケース２２から、電池蓋２４及び保護部材２５を分離させた状態の操作部側筐体２を背面２ｂ側から見た斜視図である。図６は、図４のＸ−Ｘ線断面図である。
【００３６】
上述のように、操作部側筐体２の背面２ｂ側は、リアケース２２と、リアケース２２の外面に配置される電池蓋２４と、リアケース２２の外面に配置される保護部材２５と、を主体として構成される。
【００３７】
リアケース２２は、回路基板８０の下面８０ｂ側に配置されている（図３参照）。
図５及び図６に示すように、リアケース２２の外面には、操作部側筐体２の厚さ方向（背面２ｂから前面２ａに向かう方向）に凹んだ凹部２６、及び操作部側筐体２の厚さ方向に貫通したバッテリ収納開口２３が形成されている。凹部２６の内部には、水没判定部材９０が配置される。また、バッテリ収納開口２３には、バッテリＱが背面２ｂ側から収納される。
【００３８】
図６に示すように、水没判定部材９０は、凹部２６の少なくとも一部を覆う防水シート９１と、凹部２６の内部と防水シート９１との間に形成される防水空間１００内に配置される第１水没確認シート９２と、第１水没確認シート９２における防水シート９１が配置された側の面と反対の面側に配置された支持シート９３と、を備える。
【００３９】
より具体的には、第１水没確認シート９２は、防水シート９１と支持シート９３との間に配置されており、防水シート９１の周縁と支持シート９３の周縁とが防水性を有する粘着材９４により接合されている。
また、第１水没確認シート９２は、支持シート９３に接合されて支持されており、第１水没確認シート９２と防水シート９１とは、互いに離間して配置されている。つまり、第１水没確認シート９２と防水シート９１との間には、空隙が形成されている。
【００４０】
支持シート９３の第１水没確認シート９２が配置された面と反対側の面は、凹部２６の底面に防水性を有する粘着材９５により接合されている。
これにより、防水シート９１、粘着材９４,９５、及び凹部２６の底面に囲まれた空間は、防水空間１００となっている。
【００４１】
防水シート９１は、所定の水圧までの防水性を備える。具体的には、防水シート９１は、携帯電話機１の防水機能と同じ水圧、或いは、それよりも若干高い水圧までの防水性を備える。
防水シート９１としては、例えば、ポリエステル繊維から構成されるシートを用いることができる。防水シート９１の防水性は、シートを構成する繊維の細さや、シートの積層枚数を調整することにより調整できる。例えば、ゴアテックスＧＡＷ−５００（登録商標）等が採用可能である。
【００４２】
第１水没確認シート９２は、例えば、吸水性を有するシートに、水溶性のインクで模様等を付したものである。第１水没確認シート９２に水が付着すると、第１水没確認シート９２に付された模様等が滲む。従って、この第１水没確認シート９２に付された模様等が滲んでいるかどうかを調べることで、水濡れを判定できる。
【００４３】
支持シート９３は、例えば、ポリエチレンテレフタレート（ＰＥＴ）から構成される液不透過性のシートを用いることができる。
【００４４】
図４及び図６に示すように、防水シート９１の外面側には、この防水シート９１を覆う保護部材２５が設けられている。本実施形態では、保護部材２５は、複数の貫通孔２５１を有する金属製板状体により形成されており、凹部２６の開口部全体を覆っている。
【００４５】
図５に示すように、電池蓋２４は、バッテリ収納開口２３の背面２ｂ側を覆うように配置される。詳細には、電池蓋２４は、バッテリ収納開口２３及びリアケース２２の外面におけるバッテリ収納開口２３の周縁部である第１外面２７を覆うように装着される。換言すると、第１外面２７は、リアケース２２の外面における電池蓋２４に覆われる領域である。
【００４６】
第１外面２７には、凹部２７１が設けられる。そして、この凹部２７１の内部には、第２水没確認シート２７２が配置されている。第２水没確認シート２７２としては、第１水没確認シート９２と同様のシートが用いられる。
【００４７】
上述の構成を備える本実施形態の携帯電話機１は、電池蓋２４がリアケース２２の外面に装着された状態において、所定の水圧までの防水機能を有しているが、電池蓋２４が適切に装着されていない状態では、所定の水圧までの防水機能は有していない。
【００４８】
以上の携帯電話機１によれば、以下の効果が奏される。
リアケース２２の外面に凹部２６を設け、この凹部２６の内部に水没判定部材９０を設けた。そして、この水没判定部材９０を、所定の水圧までの防水機能を有する防水シート９１と、この防水シート９１と凹部２６の底面との間に形成される防水空間１００内に配置される第１水没確認シート９２と、を含んで構成した。
これにより、携帯電話機１が水没して所定の水圧以上の条件下にさらされた場合には、水が防水シート９１を通過するので第１水没確認シート９２に付された模様は滲む。
一方、所定の水圧以下であった場合には、水は防水シート９１を通過しないので第１水没確認シート９２に付された模様は滲まない。
従って、携帯電話機１が所定の水圧以上の条件下にさらされたかどうかを容易に判定できる。
【００４９】
また、操作部側筐体２又は表示部側筐体３の内部に水が浸入して携帯電話機１が故障した場合に、第１水没確認シート９２に付された模様の滲みの有無を確認することで、この故障の原因が、電池蓋２４を適切に装着していなかったことや、操作部側筐体２又は表示部側筐体３に欠陥があったこと、或いは、所定の水圧以上の条件下にさらされたことに起因するのかを適切に判定できる。
【００５０】
また、防水シート９１と第１水没確認シート９２とを、互いに離間して配置したので、防水シート９１と第１水没確認シート９２との間には空隙が形成されて、これら両シートは直接接触しない。
これにより、所定の水圧以下の条件において携帯電話機１が水没した場合に、防水シート９１の表面に滲んだ水分が第１水没確認シート９２に付着して、第１水没確認シート９２に付された模様が滲むおそれが低下する。そのため、所定の水圧以下の条件での水没によって第１水没確認シート９２に付された模様が滲んでしまうという誤判定を低減できる。
【００５１】
また、防水シート９１の外面側に、防水シート９１を覆う保護部材２５を設けた。これにより、外部からの衝撃等により防水シート９１が破損されにくくなるので、この防水シート９１の破損に起因する誤判定を低減できる。
また、保護部材２５を複数の貫通孔２５１を有する金属製板状体から構成した。これにより、防水シート９１は、より破損しにくくなる。
【００５２】
また、第１水没確認シート９２を、防水シート９１と支持シート９３との間に配置すると共に、防水シート９１の周縁と支持シート９３の周縁とを防水性を有する粘着材により接合して一体化した。これにより、凹部２６内に水没判定部材９０を容易に配置できるので、水没判定部材９０取り付けの作業性を改善できる。
【００５３】
また、第１水没確認シート９２を、支持シート９３に接合して支持させた。これにより、第１水没確認シート９２が防水空間１００内の湿度の上昇等により反って、防水シート９１に接触するのを防止できる。
【００５４】
また、第１外面２７に、第２水没確認シート２７２を配置した。これにより、電池蓋２４を適切に装着していない状態で携帯電話機１が水没した場合には、この第２水没確認シート２７２に付された模様が滲む。そのため、電池蓋２４を適切に装着していない状態で水没したことを容易に判定できる。
【００５５】
以上、本発明の一実施形態について説明したが、本発明は前述した実施形態に制限されるものではなく、適宜変更が可能である。
例えば、本実施形態では、防水シート９１は、凹部２６の一部を覆っていたが、これに限らず、防水シートは、凹部の全体を覆っていてもよい。
【００５６】
また、本実施形態では、第１外面２７に第２水没確認シート２７２を配置したが、第１外面に、水没判定部材９０と同様の構成を有する第２水没判定部材（図示せず）を更に設けてもよい。この場合、第２水没判定部材を構成する防水シートは、水没判定部材９０を構成する防水シート９１よりも低い防水機能を有するシートを用いることが好ましい。
このように、水没判定部材９０とは異なる水圧までの防水機能を有する第２水没判定部材を更に設けることにより、操作部側筐体２の内部への水の浸入状況を、より正確に判定できる。
【００５７】
また、本実施形態においては、本発明を操作部側筐体２に適用しているが、これに制限されず、例えば表示部側筐体３に適用してもよい。
【００５８】
本実施形態における連結部４は、表示部側筐体３と操作部側筐体２とを開閉軸Ｐを中心に開閉可能に連結しているが、連結部４は、表示部側筐体３と操作部側筐体２とを開閉軸Ｐを中心に開閉可能に連結すると共に、開閉軸Ｐに直交する回動軸を中心に回動可能に連結するいわゆる２軸ヒンジ機構を備えていてもよい。
【００５９】
また、本発明の防水型電子機器は、前記実施形態のような折り畳み式ではなく、操作部側筐体２と表示部側筐体３とを重ね合わせた状態から一方の筐体を一方向にスライドさせるようにしたスライド式の防水型電子機器であってもよい。また、操作部側筐体２と表示部側筐体３との重ね合せ方向に沿う軸線を中心に一方の筐体を回転させるようにした回転式（リボルバ）の防水型電子機器であってもよい。
【００６０】
本発明は、携帯電話機以外の携帯電子機器に適用することができ、また携帯電子機器以外の電子機器にも適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイ又は液晶ディスプレイが挙げられる。
【００６１】
更に、携帯電子機器以外の電子機器としては、例えば、電子辞書、電卓、電子手帳、デジタルカメラ、ビデオカメラ、ラジオ等が挙げられるが、これらのみに限定されるものではない。
【図面の簡単な説明】
【００６２】
【図１】本発明の防水型電子機器の一実施形態に係る携帯電話機について、操作部側筐体と表示部側筐体とを開いた状態で示す斜視図である。
【図２】図１に示す携帯電話機を折り畳んだ状態で、表示部側筐体をリアケース側から見た斜視図である。
【図３】操作部側筐体の分解斜視図である。
【図４】図１に示す携帯電話機を折り畳んだ状態で、操作部側筐体をリアケース側から見た図である。
【図５】リアケースから、電池蓋及び保護部材を分離させた状態の操作部側筐体を背面側から見た斜視図である。
【図６】図４のＸ−Ｘ線断面図である。
【符号の説明】
【００６３】
１  携帯電話機（防水型電子機器）
２  操作部側筐体（筐体）
３  表示部側筐体
４  連結部
２１  フロントケース
２２  リアケース（ケース部材）
２４  電池蓋（カバー部）
２５  保護部材
２６  凹部
９０  水没判定部材
９１  防水シート
９２  第１水没確認シート
１００  防水空間
【図１】
2009290482.tif 000003
【図２】
2009290482.tif 000004
【図３】
2009290482.tif 000005
【図４】
2009290482.tif 000006
【図５】
2009290482.tif 000007
【図６】
2009290482.tif 000008